(57)【特許請求の範囲】
【請求項１】
顔面を覆う形状のシートに、身体の目に相当する部分に視認用貫通孔を形成し、表面に複数の指圧位置表示部を配してなり、該シートの上端中央部にループ状の引っ掛け紐を設けてなることを特徴とするフェイスマスク。
【請求項２】
顔面を覆う形状のシートに、身体の目に相当する部分に視認用貫通孔を形成し、表面に複数の指圧位置表示部を配してなり、シートがタオル地であって、ループ長が、表面０ｍｍ〜６ｍｍ、裏面３ｍｍ〜１０ｍｍで設計し、かつ、表面のループ長が裏面のループ長より短いパイルであることを特徴とするフェイスマスク。
【請求項３】
タオル地がトリコット経編パイルよりなることを特徴とする請求項２に記載のフェイスマスク。
【請求項４】
ループ長が、表面３ｍｍ〜６ｍｍ、裏面５ｍｍ〜８ｍｍで設計してなるパイルであることを特徴とする請求項２又は３に記載のフェイスマスク。
【発明の詳細な説明】
【０００１】
【発明の属する技術分野】
本発明は、顔面に装着して使用するマスクであって、特に美容効果、健康促進効果のあるフェイスマスクに関する。
【０００２】
【従来の技術】
従来より、電子レンジを使用して顔を蒸したり温パックする美顔用マスクとして、吸水性のある不織布シートと通気性がなく耐水耐熱性の合成樹脂膜の間に吸水体を挟み込んで重層し、マスク本体を形成し、該マスク本体の所定位置に任意形状の任意数の空気抜けを設けた美顔用マスクが知られている（実開平５−１５８９５）。
【０００３】
また、顔面のマッサージを容易にする美顔用マスクとして、薄膜状のマスクの裏側に複数の突起を設け、表側から突起を押すことにより顔面全体のツボを押すことのできる美顔用マスクが知られている（特開２０００−２０１７３４）。
【０００４】
【発明が解決しようとする課題】
しかしながら、上記従来のものは、前者は単に顔を蒸したり、温パックするだけのものであり、後者は、マスクを押さえれば、裏側の突起により顔面のツボを押すことができるというにすぎず、いずれも顔面のツボの位置を明確に確認しながら顔面の指圧ができるというものではなかった。
【０００５】
本発明は、顔に装着して鏡に向かうだけで、顔面のツボの位置が容易に確認でき、顔面のツボを容易に指圧することができるフェイスマスクを提供することを目的とする。
【０００６】
【課題を解決するための手段】
本発明に係るフェイスマスクは、顔面を覆う形状のシートに、身体の目に相当する部分に視認用貫通孔を形成し、表面に複数の指圧位置表示部を配してなるものである。
【０００７】
このように構成することにより、当該フェイスマスクを顔面に装着し、視認用貫通孔を通じて装着状態を鏡で確認すれば、前記指圧位置表示部が顔面における指圧すべきツボの位置の指標となる。
【０００８】
また、前記フェイスマスクにおいて、その両側部に耳掛け用のループ紐を設けた場合には、上記の作用に加え、前記ループ紐を耳に掛けてフェイスマスクが顔面に装着できる。
【０００９】
さらに、前記フェイスマスクにおいて、その上端中央部にループ状の引っ掛け紐を設けた場合には、上記の作用に加え、該引っ掛け紐をヘアピンなどを介して頭髪に固定することにより、フェイスマスクの上部が顔面に密着して安定する。
【００１０】
さらにまた、前記フェイスマスクにおけるシートが繊維製布地である場合には、上記の作用に加え、保水性があり、加工しやすく、完成した製品が顔面に沿いやすい。
【００１１】
また、前記フェイスマスクにおけるシートが１０番手〜３０番手の綿糸を使用してなる繊維製布地である場合には、上記の作用に加え、吸水性が良好である。
【００１２】
さらに、前記フェイスマスクにおけるシートがタオル地である場合には、上記作用に加え、保水性がさらに向上すると共に肌触りを良好にする。
【００１３】
さらにまた、前記フェイスマスクにおけるシートのタオル地がトリコット経編パイルよりなる場合には、顔面により沿いやすく、肌触りを一層良好なものとする。
【００１４】
また、ループ長が、表面０ｍｍ〜６ｍｍ、裏面３ｍｍ〜１０ｍｍで設計し、かつ、表面のループ長が裏面のループ長より短いパイルである場合には、表面に配した複数の指圧表示部の位置が判別しやすく、保温作用及び保冷作用を増大させる。
【００１５】
さらに、前記フェイスマスクにおけるシートのタオル地のループ長が、表面３ｍｍ〜６ｍｍ、裏面５ｍｍ〜８ｍｍで設計してなるパイルである場合には、顔面の皮膚に対する温パック作用及び冷パック作用を増大させ、最適である。
【００１６】
さらにまた、前記フェイスマスクにおけるシートの目付が４００ｇ／ｍ２〜７００ｇ／ｍ２である場合には、保温効果が維持でき、加工が容易であると共に顔面に沿いやすい。
【００１７】
また、前記フェイスマスクにおけるシートの目付が５００ｇ／ｍ２〜６００ｇ／ｍ２である場合には、保温性及び加工容易性の点で最も優れている。
【００１８】
【発明の実施の形態】
以下に本発明の好適な実施例を添付の図面に基づいて説明する。
【００１９】
図１は本発明に係るフェイスマスクの正面図、図２は当該フェイスマスクの裏面図、図３は当該フェイスマスクを顔面に装着した状態を示す概略斜視図、図４は当該フェイスマスクを顔面に装着して指圧をしている状態を示す概略斜視図である。
【００２０】
図において、Ａは本実施例に係るフェイスマスクであり、顔面を覆う形状、すなわち上半分１ａを円形に形成し、下半分１ｂを角丸の逆台形状に形成したシート１より構成される。なお、シート１の形状は、これに限られるものではなく楕円形等種々の形状のものを使用してもよく、顔面全体を覆う形状であればよい。
【００２１】
該シート１は、２０番手の綿糸を使用し、カールマイヤー経編機により編成されるトリコット経編パイルよりなるタオル地より構成されたもので、表面側のパイル１ｃのパイル長は４．５ｍｍで設計され、裏面側のパイル１ｄのパイル長は７ｍｍで設計され、目付が５００ｇ／ｍ２で、その周囲はオーバーロックミシンによりかがり縫い１ｅがなされ、ほつれ防止が図られている。なお、繊維の種類、糸の材質及び太さ、生地の形成方法、パイル長の長さ、目付量及び周囲縁部の始末については、上記の構成に限定されるものではない。また、シート１の構成に１０番手〜３０番手の綿糸を使用すると、吸水性が良好であり、水分を含ませたフェイスマスクを、後述するように、電子レンジなどで加熱した場合に耐熱性がある。また、合成樹脂を使用しないことによりアレルギー性の疾患を防ぐ可能性もあり得る。さらに、シート１をこのような繊維製布地で構成すると、保水性があり、加工しやすく、完成した製品が顔面に沿いやすい。また、シート１がタオル地であると、保水性がさらに向上し、肌触りを良好にし、そしてタオル地がトリコット経編パイルよりなる場合には、顔面により沿いやすく、肌触りがより一層良好となる。さらにまた、ループ長が、表面０ｍｍ〜６ｍｍ、裏面３ｍｍ〜１０ｍｍで設計し、かつ、表面のループ長が裏面のループ長より短いパイルである場合には、表面に配した複数の指圧表示部の位置が判別しやすく、保温作用及び保冷作用を増大させる効果がある。さらにタオル地のループ長が、表面３ｍｍ〜６ｍｍ、裏面５ｍｍ〜８ｍｍで設計してなるパイルである場合には、顔面の皮膚に対する温パック作用を増大させ、シート全体の吸水性、保温性が向上し、肌に接する側の方がパイル長を長くしているため、肌触りが良好となるため種々の効果がより一層発揮され、最適である。さらにまたシート１の目付が４００ｇ／ｍ２〜７００ｇ／ｍ２である場合には保温効果が維持でき、前記数値範囲以下の目付であるとすぐ冷めてしまう欠点がある。また、加工が容易であると共に顔面に沿いやすい利点があり、それ以上の目付であると加工しづらく顔面に沿いにくいものとなる。なお、シート１の目付を５００ｇ／ｍ２〜６００ｇ／ｍ２にすれば、保温性及び加工容易性の点で最適である。
【００２２】
そして、中央よりやや上方に左右対称で１対の細い円弧状の視認用貫通孔２ａ、２ｂが形成されており、そのやや下方中央に１個の鼻呼吸用貫通孔３が形成されている。前記視認用貫通孔２ａ、２ｂは該フェイスマスクＡを顔面に装着した際に目の位置に相当する位置に設けられており、該フェイスマスクＡを顔面に装着した際に該視認用貫通孔２ａ、２ｂを通して外部が見えるようになっている。また、鼻呼吸用貫通孔３は該フェイスマスクＡを顔面に装着した際に鼻の下の鼻孔の位置に相当する位置に設けられており、該フェイスマスクＡを顔面に装着した際に該鼻呼吸用貫通孔３により鼻で呼吸ができるようになっている。なお、視認用貫通孔２ａ、２ｂ及び鼻呼吸用貫通孔３の形状は本実施例のものに限られるものではなく、上記した目的が達成できるものであればよい。なお、鼻呼吸用貫通孔３は、シート１が通気性を十分に有するものであれば必ずしも設けなくてもよい。
【００２３】
ａ１〜ａ１２は指圧位置表示部であり、該フェイスマスクＡを顔面に装着した際に顔面の１２点の指圧点（左右対称であるため、中央部２点＋左右１０点×２の合計２２点となる）に相当する位置にそれぞれ指圧位置表示部ａ１〜ａ１２が配されている。なおａ１〜ａ４は目の疲れを和らげる効果と、小じわの予防効果があるといわれている指圧点である。ａ５は頬の腫れ、目の疲れを取る効果があるといわれている指圧点である。ａ６は鼻づまりを和らげ、嗅覚を活発にする効果があるといわれている指圧点である。ａ７〜ａ９は口の回りの小じわ予防の効果があるといわれている指圧点である。ａ１０は苛立ち気分を鎮めリラックスさせる効果があるといわれている指圧点である。ａ１１はしゃべり疲れを和らげる効果があるといわれている指圧点である。ａ１２はリンパ液の循環を良好にする効果があるといわれている指圧点である。この指圧位置表示部ａ１〜ａ１２の形成方法としては、染料や顔料によるプリントの他刺繍などがあるが、刺繍の場合には、凸状になるため、指圧効果を増大させる効果がある。
【００２４】
該フェイスマスクＡの裏面側には、図２に示すように、その両側部に耳掛け用のループ紐４ａ、４ｂが縫い付けられており、該フェイスマスクＡを耳に掛けて使用することができるようになっている。また、上部にはループ状の引っ掛け紐６が縫い付けられており、該引っ掛け紐６をヘアピンＣなどを介して頭髪に固定することにより、フェイスマスクＡの上部が装着中に垂れ下がるのを防止でき、顔面に密着して安定するので、着用感が良好である。
【００２５】
次に本実施例に係るフェイスマスクＡの使用方法について説明する。
【００２６】
まず、該フェイスマスクＡを水に浸して水分を十分に吸収させる。次いで、水分を吸収した該フェイスマスクＡを電子レンジで加熱する。加熱された該フェイスマスクＡを図３に示すように表面側、すなわち指圧位置表示部ａ１〜ａ１２を配してなる側を外側にし、両側部に設けた耳掛け用のループ紐４ａ、４ｂ及び引っ掛け紐６を使用して顔面に装着する。この状態において該フェイスマスクＡは蒸しタオル状態となっているため、温パック作用を果たし、心身に爽快感を与えると共に毛穴を開かせる効果を果たす。そのため、毛穴の奥深く侵入した微細な汚れが顔表面に浮き出てくるのでその除去が容易になる。また、このような状態を経過している中で、図４に示すように、鏡Ｂを見ながら、視認用貫通孔２ａ、２ｂを通して顔面に装着したフェイスマスクＡの指圧位置表示部ａ１〜ａ１２を確認しながら、上記したような指圧効果のある指圧点について指圧を行う。
【００２７】
このように使用することによって、心身に対するリラクゼーションと顔面の汚れの除去と指圧効果を達成することができ、健康促進に十分な効果を果たすと共に美肌の維持及び化粧ののりを向上させるので、絶大な美顔効果が期待できる。
【００２８】
また、該フェイスマスクＡを水に浸して水分を十分に吸収させ、冷蔵庫に入れて冷却し、冷却された該フェイスマスクＡを図３に示すように表面側、すなわち指圧位置表示部ａ１〜ａ１２を配してなる側を外側にし、両側部に設けた耳掛け用のループ紐４ａ、４ｂ及び引っ掛け紐６を使用して顔面に装着する。このようにして使用した場合には、肌を引き締めることにより化粧効果を長持ちさせたり、日焼け等により火照った肌を冷やして爽快感をもたらす効果がある。
【００２９】
なお、本発明は、前記の実施例に限定されるものではなく、本発明の精神を逸脱しない範囲の広範な変形例を含むものである。
【００３０】
【発明の効果】
本発明に係るフェイスマスクは、顔面を覆う形状のシートに、身体の目に相当する部分に視認用貫通孔を形成し、表面に複数の指圧位置表示部を配してなるものであるため、当該フェイスマスクを顔面に装着し、視認用貫通孔を通じて装着状態を鏡で確認すれば、前記指圧位置表示部が顔面における指圧すべきツボの位置の指標となる。そうすると、自らの手により簡単でかつ正確に指圧を行うことができて便利である。
【００３１】
また、前記フェイスマスクにおいて、その両側部に耳掛け用のループ紐を設けた場合には、上記の効果に加え、前記ループ紐を耳に掛けるだけでフェイスマスクが顔面に装着できるので便利である。
【００３２】
さらに、前記フェイスマスクにおいて、その上端中央部にループ状の引っ掛け紐を設けた場合には、上記の効果に加え、該引っ掛け紐をヘアピンなどを介して頭髪に固定することにより、フェイスマスクの上部が顔面に密着して安定するので、着用感が良好であり、フェイスマスクがもたらす効果が十分に発揮される。
【００３３】
さらにまた、前記フェイスマスクにおけるシートが繊維製布地である場合には、上記の効果に加え、保水性があり、加工しやすく、完成した製品が顔面に沿いやすい利点がある。
【００３４】
また、前記フェイスマスクにおけるシートが１０番手〜３０番手の綿糸を使用してなる繊維製布地である場合には、上記の効果に加え、吸水性が良好であり、水分を含ませたフェイスマスクを電子レンジなどで加熱し、顔面に装着することによる温パック作用により、心身に爽快感を与えると共に、毛穴を開かせる効果がある。
【００３５】
さらに、前記フェイスマスクにおけるシートがタオル地である場合には、上記効果に加え、保水性がさらに向上すると共に肌触りを良好にする効果がある。
【００３６】
さらにまた、前記フェイスマスクにおけるシートのタオル地がトリコット経編パイルよりなる場合には、顔面により沿いやすく、肌触りを一層良好なものとする。
【００３７】
また、ループ長が、表面０ｍｍ〜６ｍｍ、裏面３ｍｍ〜１０ｍｍで設計し、かつ、表面のループ長が裏面のループ長より短いパイルである場合には、表面に配した複数の指圧表示部の位置が判別しやすく、保温作用及び保冷作用を増大させる効果がある。
【００３８】
さらに、前記フェイスマスクにおけるシートのタオル地のループ長が、表面３ｍｍ〜６ｍｍ、裏面５ｍｍ〜８ｍｍで設計してなるパイルである場合には、顔面の皮膚に対する温パック作用及び冷パック作用を増大させ、種々の効果がより一層発揮され、最適である。
【００３９】
さらにまた、前記フェイスマスクにおけるシートの目付が４００ｇ／ｍ２〜７００ｇ／ｍ２である場合には、保温効果が維持でき、前記数値範囲以下であるとすぐ冷めてしまう欠点がある。また、加工が容易であると共に顔面に沿いやすい利点があり、それ以上であると加工しづらく顔面に沿いにくいものとなる。
【００４０】
また、前記フェイスマスクにおけるシートの目付が５００ｇ／ｍ２〜６００ｇ／ｍ２である場合には、保温性及び加工容易性の点で最も優れている。
【図面の簡単な説明】
【図１】  本発明に係るフェイスマスクの正面図である。
【図２】  前記フェイスマスクの裏面図ある。
【図３】  前記フェイスマスクを顔面に装着した状態を示す概略斜視図である。
【図４】  前記フェイスマスクを顔面に装着して指圧をしている状態を示す概略斜視図ある。
【符号の説明】
Ａ・・・・・・フェイスマスク
Ｂ・・・・・・鏡
Ｃ・・・・・・ヘアピン
１・・・・・・シート
１ａ・・・・・シートの上半分
１ｂ・・・・・シートの下半分
１ｃ・・・・・表面側のパイル
１ｄ・・・・・裏面側のパイル
１ｅ・・・・・かがり縫い
２ａ、２ｂ・・視認用貫通孔
３・・・・・・鼻呼吸用貫通孔
ａ１〜ａ１２・指圧位置表示部
４ａ、４ｂ・・耳掛け用のループ紐
６・・・・・・ループ状の引っ掛け紐
【図１】
0003787679.tif 000002
【図２】
0003787679.tif 000003
【図３】
0003787679.tif 000004
【図４】
0003787679.tif 000005